(57)【要約】      （修正有）【課題】複数の光点を生成して被検知物に照射可能な回路付きホルダであって、製造が容易で製造コストを削減できる回路付きホルダを提供する。【解決手段】回路付きホルダは、リードフレーム１、プラスチックベース２及び回路層３を含む。リードフレームは複数の電極部１１を有する。プラスチックベースはリードフレームに設けられ、カップ体２１を有し、カップ体の底部が電極部の背面を露出させ、カップ体はカップ口２２を有し、カップ口が電極部の表面を露出させる。回路層はカップ体に設けられ、２つの導電部３１、２つの電気接続部３２及び２つのボンディングパッド部３３を少なくとも含み、導電部がカップ壁に位置し、電気接続部がカップ口に設けられ、電気接続部の一端が導電部の一端に電気的に連結され、ボンディングパッド部がカップ体の底部に設けられ、導電部の他端に電気的に連結される。【選択図】図１
0003222127.tif 000002
【実用新案登録請求の範囲】
【請求項１】
複数の電極部を有するリードフレームと、
当該リードフレームに設けられ、カップ体を有し、当該カップ体の底部が上記電極部の背面を露出させ、当該カップ体がカップ口を有し、当該カップ口が上記電極部の表面を露出させるプラスチックベースと、
カップ体に設けられ、２つの導電部、２つの電気接続部及び２つのボンディングパッド部を少なくとも含み、２つの導電部がカップ壁に位置し、当該２つの電気接続部が当該カップ口に設けられ、当該２つの電気接続部の一端が当該２つの導電部の一端に電気的に連結され、当該２つのボンディングパッド部が当該カップ体の底部に設けられ、当該２つのボンディングパッド部が当該２つの導電部の他端に電気的に連結される回路層、を含む回路付きホルダ。
【請求項２】
当該カップ口は階段状をなしている請求項１に記載の回路付きホルダ。
【請求項３】
当該カップ体は２つの溝を有し、当該２つの溝は当該カップ体におけるカップ口の上面から当該カップ体の底部まで延伸している請求項１に記載の回路付きホルダ。
【請求項４】
当該２つの導電部は当該２つの溝に位置し、当該２つの電気接続部は当該カップ口の内側の壁面に設けられ、当該２つの電気接続部の一端は当該２つの導電部の一端に電気的に連結され、当該２つのボンディングパッド部は当該カップ体の底部に設けられ、当該２つのボンディングパッド部は当該２つの導電部の他端に電気的に連結される請求項３に記載の回路付きホルダ。
【請求項５】
当該ボンディングパッド部は、上記電極部に電気的に連結又は電気的に非連結可能である請求項４に記載の回路付きホルダ。
【請求項６】
当該２つの導電部は当該カップ体の表面に位置しており、当該２つの電気接続部は当該カップ口の上面に設けられる請求項１に記載の回路付きホルダ。
【請求項７】
当該ボンディングパッド部は、上記電極部に電気的に連結又は電気的に非連結可能である請求項６に記載の回路付きホルダ。
【請求項８】
当該カップ体は２つの貫通孔を有し、当該２つの貫通孔は当該カップ口の上面から当該底部まで貫通している請求項１に記載の回路付きホルダ。
【請求項９】
当該２つの導電部は当該２つの貫通孔に位置する請求項８に記載の回路付きホルダ。
【請求項１０】
当該ボンディングパッド部は、上記電極部に電気的に連結又は電気的に非連結可能である請求項９に記載の回路付きホルダ。
【請求項１１】
当該カップ体は２つの貫通孔を有し、当該２つの貫通孔は当該カップ口の上面から上記電極部の表面まで貫通している請求項１に記載の回路付きホルダ。
【請求項１２】
当該２つの導電部は当該２つの貫通孔に位置して、上記電極部に電気的に連結される請求項１１に記載の回路付きホルダ。
【請求項１３】
複数の電極部を有するリードフレームと、
当該リードフレームに設けられ、カップ体を有し、当該カップ体の底部が上記電極部の背面を露出させ、当該カップ体がカップ口を有し、当該カップ口が第１カップ口及び第２カップ口を有し、当該第１カップ口及び第２カップ口が上記電極部の表面を露出させ、当該第２カップ口の上面に２つの貫通孔が備えられ、当該２つの貫通孔が当該第２カップ口の上面から当該カップ体の底部まで貫通しているプラスチックベースと、
カップ体に設けられ、２つの導電部、２つの電気接続部及び２つのボンディングパッド部を含み、当該２つの導電部がそれぞれ第１導電部及び第２導電部を含み、当該２つの電気接続部が当該第１カップ口の上面及び内側の壁面に設けられ、当該２つの第１導電部が当該第２カップ口の上面に設けられ、当該２つの第１導電部の一端が当該２つの電気接続部の一端に電気的に連結され、当該２つの第１導電部の他端が当該２つの貫通孔に設けられる２つの第２導電部の一端に電気的に連結され、当該２つの第２導電部の他端がカップ体の底部に設けられる当該ボンディングパッド部に電気的に連結される回路層と、を含む回路付きホルダ。
【請求項１４】
当該ボンディングパッド部は、上記電極部に電気的に連結又は電気的に非連結可能である請求項１３に記載の回路付きホルダ。
【請求項１５】
当該カップ口は階段状をなしている請求項１３に記載の回路付きホルダ。
【請求項１６】
当該電気接続部は、複数のＴ字状の電気接点により構成される請求項１３に記載の回路付きホルダ。
【考案の詳細な説明】
【技術分野】
【０００１】
本考案は認証デバイスに関し、特に、複数の光点を生成して被検知物に照射可能な回路付きホルダに関する。
【背景技術】
【０００２】
周知のように、スマート機器には使用上の安全性を高めるために顔認証（Ｆａｃｅ  ＩＤ）技術が使用されている。
【０００３】
Ｆａｃｅ  ＩＤによるロック解除は主に２つのステップに分けられる。まず、携帯電話に近付いた顔が意図的に近付けられたものなのか、単に使用者が意図せず携帯電話の前方を横切っただけなのかを識別する必要がある。そして、意図的に近付けられた顔であると確認した後に、顔認証を開始する。Ｆａｃｅ  ＩＤによるロック解除を起動するには、複数のデバイスを同時に起動せねばならないが、電力を消耗するものもある。そのため、意図的に近付けられた顔であると確認した場合にのみ顔認証を開始する必要がある。
【０００４】
顔又は物体が近付くと、まずは近接センサ（Ｐｒｏｘｉｍｉｔｙ  ｓｅｎｓｏｒ）が起動する。そして、近接センサから信号が送出されることでフラッドイルミネータ（Ｆｌｏｏｄ  ｉｌｌｕｍｉｎａｔｏｒ）が起動し、非構造的（Ｎｏｎ−ｓｔｒｕｃｔｕｒｅｄ）赤外線が射出されて物体表面を照射する。次に、赤外線カメラ（Ｉｎｆｒａｒｅｄ  ｃａｍｅｒａ）がこれらから反射された画像情報を受信して、携帯電話内のマイクロプロセッサに転送する。続いて、マイクロプロセッサに内蔵される２コアの「ニューラルエンジン」（Ｎｅｕｒａｌ  Ｅｎｇｉｎｅ，ＮＥ）が人工知能演算を経て顔であると判断すると、ドットプロジェクタ（Ｄｏｔ  ｐｒｏｊｅｃｔｏｒ）が起動して複数の光点を生成し、使用者の顔に照射する。これらの光点により形成された配列は再び赤外線カメラ（Ｉｎｆｒａｒｅｄ  ｃａｍｅｒａ）に反射され、顔の部位別に距離（深度）が算出される。そして、使用者の顔のこれら深度情報が携帯電話内のプロセッサに転送され、演算により顔の特徴を比較することで使用者本人であるか否かを識別する。
【０００５】
前記ドットプロジェクタのホルダにはレンズフィルタの導通回路が作製されておらず、レンズフィルタの導通回路は回路基板からドットプロジェクタのホルダまで伸びている。即ち、回路基板にプラスチックベースが電気的に固定接続されており、当該プラスチックベース上に当該ドットプロジェクタのホルダが配置されている。回路基板によって当該プラスチックベースを経由するリード線が作製されており、当該プラスチックベースから当該ホルダのレンズフィルタ用電源が供給される。この場合、ドットプロジェクタに必要な電源を供給可能となるが、こうした導通回路の設計ではドットプロジェクタの製造に要する時間や工程が増えるため、相対的に製造コストも増加する。また、ドットプロジェクタの全体体積が増大し、搭載して使用するにあたりスマート機器の内部空間を過度に占有することになる。且つ、ドットプロジェクタのレンズフィルタが破損した場合であっても、当該回路基板はドットプロジェクタ内部のレーザダイオードを点灯駆動可能なため、信号が誤って捉えられやすい。
【考案の概要】
【考案が解決しようとする課題】
【０００６】
そこで、本考案の主たる目的は、従来の欠点を解決し、プロジェクタのホルダにおけるプラスチックベースにレンズフィルタの導通回路を直接作製することで回路付きホルダを形成し、当該回路付きホルダの製造をより容易且つ簡単として、大幅に製造コストを削減するとともに、体積を縮小することである。
【０００７】
本考案の他の目的は、レンズフィルタの導通回路をプラスチックベースに作製し、当該レンズフィルタが破損又は損傷した場合に、当該プロジェクタ内部のレーザダイオードを点灯不可能とすることである。
【課題を解決するための手段】
【０００８】
上記の目的を達成するために、本考案は、リードフレーム、プラスチックベース及び回路層を含む回路付きホルダを提供する。当該リードフレームは複数の電極部を有する。当該プラスチックベースは、当該リードフレームに設けられ、カップ体を有し、当該カップ体の底部が上記電極部の背面を露出させ、当該カップ体がカップ口を有し、当該カップ口が上記電極部の表面を露出させる。当該回路層は、カップ体に設けられ、２つの導電部、２つの電気接続部及び２つのボンディングパッド部を少なくとも含み、２つの導電部がカップ壁に位置し、当該２つの電気接続部が当該カップ口に設けられ、当該２つの電気接続部の一端が当該２つの導電部の一端に電気的に連結され、当該２つのボンディングパッド部が当該カップ体の底部に設けられ、当該２つのボンディングパッド部が当該２つの導電部の他端に電気的に連結される。
【０００９】
本考案の一実施例において、当該カップ口は階段状をなしている。
【００１０】
本考案の一実施例において、当該カップ体は２つの線形の溝を有し、当該２つの溝は当該カップ体におけるカップ口の上面から当該カップ体の底部まで延伸している。
【００１１】
本考案の一実施例において、当該２つの導電部は当該２つの溝に位置し、当該２つの電気接続部は当該カップ口の内側の壁面に設けられ、当該２つの電気接続部の一端は当該２つの導電部の一端に電気的に連結され、当該２つのボンディングパッド部は当該カップ体の底部に設けられ、当該２つのボンディングパッド部は当該導電部の他端に電気的に連結される。
【００１２】
本考案の一実施例において、当該ボンディングパッド部は、上記電極部に電気的に連結又は電気的に非連結可能である。
【００１３】
本考案の一実施例において、当該２つの導電部は当該カップ体の表面に位置しており、当該２つの電気接続部は当該カップ口の上面に設けられる。
【００１４】
本考案の一実施例において、当該カップ体は２つの貫通孔を有し、当該２つの貫通孔は当該カップ口の上面から当該底部まで貫通している。
【００１５】
本考案の一実施例において、当該２つの導電部は当該２つの貫通孔に位置する。
【００１６】
本考案の一実施例において、当該カップ体は２つの貫通孔を有し、当該２つの貫通孔は当該カップ口の上面から上記電極部の表面まで貫通している。
【００１７】
本考案の一実施例において、当該２つの導電部は当該２つの貫通孔に位置して、上記電極部に電気的に連結される。
【００１８】
上記の目的を達成するために、本考案は、レンズフィルタを電気的に接続するよう、リードフレーム、プラスチックベース及び回路層を含む回路付きホルダを更に提供する。当該リードフレームは複数の電極部を有する。当該プラスチックベースは、当該リードフレームに設けられ、カップ体を有し、当該カップ体の底部が上記電極部の背面を露出させ、当該カップ体がカップ口を有し、当該カップ口が第１カップ口及び第２カップ口を有し、当該第１カップ口及び第２カップ口が上記電極部の表面を露出させ、当該第２カップ口の上面に２つの貫通孔が備えられ、当該２つの貫通孔が当該第２カップ口の上面から当該カップ体の底部まで貫通している。当該回路層は、カップ体に設けられ、２つの導電部、２つの電気接続部及び２つのボンディングパッド部を含み、当該２つの導電部がそれぞれ第１導電部及び第２導電部を含み、当該２つの電気接続部が当該第１カップ口の上面及び内側の壁面に設けられ、当該２つの第１導電部が当該第２カップ口の上面に設けられ、当該２つの第１導電部の一端が当該２つの電気接続部の一端に電気的に連結され、当該２つの第１導電部の他端が当該２つの貫通孔に設けられる２つの第２導電部の一端に電気的に連結され、当該２つの第２導電部の他端がカップ体の底部に設けられる当該ボンディングパッド部に電気的に連結される。
【００１９】
本考案の一実施例において、当該ボンディングパッド部は、上記電極部に電気的に連結又は電気的に非連結可能である。
【００２０】
本考案の一実施例において、当該カップ口は階段状をなしている。
【００２１】
本考案の一実施例において、当該電気接続部は、複数のＴ字状の電気接点により構成される。
【図面の簡単な説明】
【００２２】
【図１】図１は、本考案の第１実施例における回路付きホルダの外観斜視図である。
【図２】図２は、図１の平面図である。
【図３】図３は、図１の断面図である。
【図４】図４は、図１の背面図である。
【図５】図５は、図１の使用状態を示す図である。
【図６】図６は、本考案の第２実施例における回路付きホルダの平面図である。
【図７】図７は、図６の側面図である。
【図８】図８は、図６の背面図である。
【図９】図９は、本考案の第３実施例における回路付きホルダの平面図である。
【図１０】図１０は、図９の断面図である。
【図１１】図１１は、図９の背面図である。
【図１２】図１２は、本考案の第４実施例における回路付きホルダの平面図である。
【図１３】図１３は、図１２の断面図である。
【図１４】図１４は、図１２の背面図である。
【図１５】図１５は、本考案の第５実施例における回路付きホルダの平面図である。
【図１６】図１６は、図１５の断面図である。
【図１７】図１７は、図１５の背面図である。
【考案を実施するための形態】
【００２３】
以下に、本考案の技術内容と詳細について、図面を組み合わせて説明する。
【００２４】
本考案の第１実施例における回路付きホルダの構造、平面図、断面図及び背面図である図１〜４を参照する。図示するように、本考案の回路付きホルダは、リードフレーム１、プラスチックベース２及び回路層３を含む。
【００２５】
当該リードフレーム１には、金属スタンピング又はエッチングによって複数の電極部１１が形成されている。これら電極部１１は、チップの固定接続（図示しない）やワイヤボンディング（図示しない）に用いられる。
【００２６】
当該プラスチックベース２は、熱圧又は射出技術によってプラスチックを当該リードフレーム１上に成型することで形成される。当該プラスチックベース２はカップ体２１を有し、当該カップ体２１の底部は上記電極部１１の背面を露出させている。また、当該カップ体２１はカップ口２２を備える。当該カップ口２２は、チップの固定接続（図示しない）やワイヤボンディング（図示しない）に用いられるよう、上記電極部の表面を露出させている。また、当該カップ体２１の外表面には、互いに対称で且つ線形をなす２つの溝２３が備わっている。当該溝２３は、当該カップ口２２の上面から当該カップ体２１の底部まで延伸している。上記図面において、当該カップ口２２は階段状をなしている。
【００２７】
当該回路層３は当該２つの溝２３に設けられている。当該回路層３は、２つの導電部３１、２つの電気接続部３２及び２つのボンディングパッド部３３を含む。当該２つの導電部３１は当該２つの溝２３に位置している。当該２つの電気接続部３２は当該カップ口２２の内側の壁面に設けられて対向状態をなしており、且つ、当該２つの導電部３１の一端に電気的に連結される。当該２つのボンディングパッド部３３は当該カップ体２１の底部に設けられている。また、当該２つのボンディングパッド部３３は当該２つの導電部３１の他端に電気的に連結される。且つ、当該２つのボンディングパッド部３３は、当該リードフレーム１の上記電極部１１に電気的に連結又は電気的に非連結可能である。当該回路層３には、酸化インジウムスズ（ＩＴＯ）製の透明リード線を有するレンズフィルタ（図示しない）が電気的に連結されて使用される。
【００２８】
図１の使用状態を示す図５を参照する。図示するように、本考案におけるプロジェクタの回路付きホルダを使用する際には、レーザチップ４を当該リードフレーム１における上記電極部１１の１つにダイボンディングする。そして、ワイヤボンディング技術によって金線５を当該レーザチップ４及び上記電極部１１に電気的に連結する。且つ、酸化インジウムスズ（ＩＴＯ）製の透明導電回路（図示しない）を有するレンズフィルタ６を当該カップ体２１における階段状のカップ口２２に配置し、当該レンズフィルタ６のリード線を当該回路層３の２つの電気接続部３２に電気的に連結することでプロジェクタが形成される。
【００２９】
プロジェクタの回路付きホルダを使用する際には、回路付きホルダを回路基板（図示しない）に電気的に連結する。当該回路基板による制御を受けて当該レーザチップ（レーザダイオード）４が点灯し、レーザ光を当該レンズフィルタ６に照射すると、当該レンズフィルタ６は複数の光点を生成して被検知物（図示しない）に照射する。これら光点により形成された配列は回路基板上の赤外線カメラ（Ｉｎｆｒａｒｅｄ  ｃａｍｅｒａ）に反射して受信され、被検知物の輪郭部位別に距離（深度）が算出される。そして、これら輪郭の深度情報が回路基板のマイクロプロセッサに転送され、演算によって当該輪郭の特徴を比較することで、正確か否かが識別される。
【００３０】
回路付きホルダが外部からの力を受けて当該レンズフィルタ６に破損が生じると、当該レンズフィルタ６のリード線も断裂するため、レンズフィルタ６は通電不可能となる。このときに当該プロジェクタが起動しても、当該回路付きホルダ内のレーザチップは点灯することがない。よって、当該レンズフィルタ６が複数の光点を生成して被検知物に照射することもない。
【００３１】
本考案の第２実施例における回路付きホルダの平面図である図６、図６の側面図及び背面図である図７、図８を参照する。図示するように、第２実施例は第１実施例とほぼ同様であるが、当該回路層３には当該カップ体２１における２つの溝２３を設置する必要がない点で異なる。当該回路層３における２つの電気接続部３２は、当該カップ体２１におけるカップ口２２の上面に設けられる。また、当該２つの電気接続部３２の一端は、当該２つの導電部３１の一端に電気的に連結される。当該２つの導電部３１は当該カップ体２の表面（又はカップ壁）に設けられるとともに、当該カップ体２１の底部まで延伸している。また、当該２つの導電部３１の他端は当該カップ体２１の底部における２つのボンディングパッド部３３に電気的に連結される。且つ、当該２つのボンディングパッド部３３は、当該リードフレーム１の上記電極部１１に電気的に連結又は電気的に非連結可能である。
【００３２】
当該回路層３は当該カップ体２１の溝２３内に設ける必要がないため、当該プロジェクタの回路付きホルダは製造がより容易且つ簡単となる。
【００３３】
本考案の第３実施例における回路付きホルダの平面図である図９、図９の断面図及び背面図である図１０、図１１を参照する。図示するように、第３実施例は第１及び第２実施例とほぼ同様であるが、当該カップ体２１に２つの互いに対称な貫通孔２４が設けられる点で異なる。当該２つの貫通孔２４は、当該カップ口２２の上面から当該カップ体２１の底部まで貫通しており、当該金属材料が当該２つの貫通孔２４に充填されて当該回路層３における２つの導電部３１が形成される。また、２つの電気接続部３２は当該カップ口２２の上面に設けられるとともに、当該２つの導電部３１の一端に電気的に連結される。当該２つのボンディングパッド部３３は当該カップ体２１の底部に設けられるとともに、当該２つの導電部３１における他端に電気的に連結される。これにより、当該回路層３は設計的にマスキング効果を有する。且つ、当該２つのボンディングパッド部３３は、当該リードフレーム１の上記電極部１１に電気的に連結又は電気的に非連結可能である。
【００３４】
本考案の第４実施例における回路付きホルダの平面図である図１２、図１２の断面図及び背面図である図１３、図１４を参照する。図示するように、第４実施例は上記第３実施例とほぼ同様であるが、当該カップ体２１に２つの互いに対称な貫通孔２４が設けられている点で異なる。当該２つの貫通孔２４は、当該カップ口２２の上面から当該リードフレーム１の上記電極部１１の表面まで貫通しており、当該金属材料が当該２つの貫通孔２４に充填されて当該回路層３における２つの導電部３１が形成される。また、当該２つの電気接続部３２は当該カップ口２２の上面に設けられるとともに、当該２つの導電部３１の一端に電気的に連結される。当該２つの導電部３１の他端は当該リードフレーム１における上記電極部１１の１つに電気的に連結される。これにより、当該回路層３は設計的にマスキング効果を有する。
【００３５】
本考案の第５実施例における回路付きホルダの平面図である図１５、図１５の断面図及び背面図である図１６、図１７を参照する。図示するように、第５実施例は上記第１〜第４実施例とほぼ同様であるが、当該カップ口２２における第２カップ口２２２の上面に２つの互いに対称な貫通孔２２３を有する点で異なる。当該２つの貫通孔２２３は、第２カップ口２２２の上面から当該プラスチックベース２の底部まで貫通しており、当該金属材料を当該２つの貫通孔２２３に充填することで当該２つの導電部３１における２つの第２導電部３１２が形成される。当該２つの第１導電部３１１は当該第２カップ口２２２の上面に設けられる。また、当該２つの第２導電部３１２の一端が当該２つの第１導電部３１１の一端に電気的に連結される。当該２つの第１導電部３１１の他端は、当該第１カップ口２２１の上面及び内側の壁面に設けられる２つの電気接続部３２に電気的に連結される。当該２つの第２導電部３１２の他端は当該カップ体２１の底部における２つのボンディングパッド部３３に電気的に連結される。これにより、当該回路層３の設計も同様にマスキング効果を有する。なお、上記図面において、当該電気接続部３２は複数のＴ字状の電気接点により構成されている。
【００３６】
当該レンズフィルタ６における導電用の回路層３は当該プラスチックベース２のカップ体２１に作製されるため、当該回路付きホルダは製造がより容易且つ簡単となる。且つ、当該回路層３は後続の加工製造によって損傷又は断裂しない。
【００３７】
以上は本考案の好ましい実施例にすぎず、本考案の請求の範囲を制限するものではない。したがって、本考案の明細書又は図面の内容を用いて行われる等価の変形もまた同様に本考案の請求の範囲に含まれる。
【符号の説明】
【００３８】
１  リードフレーム
１１  電極部
２  プラスチックベース
２１  カップ体
２２  カップ口
２２１  第１カップ口
２２２  第２カップ口
２３  溝
３  回路層
３１  導電部
３２  電気接続部
３３  ボンディングパッド部
４  レーザチップ
５  金線
６  レンズフィルタ
【図１】
0003222127.tif 000003
【図２】
0003222127.tif 000004
【図３】
0003222127.tif 000005
【図４】
0003222127.tif 000006
【図５】
0003222127.tif 000007
【図６】
0003222127.tif 000008
【図７】
0003222127.tif 000009
【図８】
0003222127.tif 000010
【図９】
0003222127.tif 000011
【図１０】
0003222127.tif 000012
【図１１】
0003222127.tif 000013
【図１２】
0003222127.tif 000014
【図１３】
0003222127.tif 000015
【図１４】
0003222127.tif 000016
【図１５】
0003222127.tif 000017
【図１６】
0003222127.tif 000018
【図１７】
0003222127.tif 000019